(57)【要約】【課題】化粧品が付着するのを極力抑えることができるとともに目薬等を両目に間接的に投与できるアイマスクを提供する。【解決手段】使用者の両眼を覆うマスク本体１１と、このマスク本体を保持するためのバンド２１とを有するアイマスク１において、マスク本体の内面の周囲に柔軟性を有する隆起部１７が形成され、少なくともこの隆起部に囲まれた内部に液体を吸収保持する吸収保持体１５が設けられている。【選択図】  図１
2006055358.tif 000002
【特許請求の範囲】
【請求項１】
使用者の両眼を覆うマスク本体と、このマスク本体を保持するためのバンドとを有するアイマスクにおいて、前記マスク本体の内面の周囲に柔軟性を有する隆起部が形成され、少なくともこの隆起部に囲まれた内部に液体を吸収保持する吸収保持体が設けられていることを特徴とするアイマスク。
【請求項２】
前記吸収保持体は、前記マスク本体に対して着脱可能に設けられていることを特徴とする請求項１記載のアイマスク。
【請求項３】
前記吸収保持体は抗菌処理が施されていることを特徴とする請求項１又は２記載のアイマスク。
【請求項４】
前記吸収保持体の裏面に、前記液体を透過させない液体遮断シートが設けられていることを特徴とする請求項１〜３の何れかに記載のアイマスク。
【請求項５】
前記マスク本体の隆起部に囲まれた内部に、前記液体を透過させない液体遮断シートが設けられていることを特徴とする請求項１〜４の何れかに記載のアイマスク。
【発明の詳細な説明】
【技術分野】
【０００１】
本発明は、両眼を覆うように装着して、目の疲れを取ったり安眠に導いたりするために使用されるアイマスクに関する。
【背景技術】
【０００２】
明るい場所で睡眠をとりたいときや目の疲れをとりたいときにアイマスクが用いられる。従来、アイマスクは平坦な布製のマスク本体と、アイマスクを顔面に固定するためのゴム製バンドとからなるものであった。
【０００３】
しかしながら、マスク本体が平坦であるため、アイマスクを装着するとファンデーション、アイシャドー、マスカラなどの化粧品がマスク本体に付着して汚れたり、あるいは付けまつげが取れてしまったりするといった問題があった。
【０００４】
また、目の疲れを取るために各種の目薬（医薬部外品をも含む。以下同じ。）が市販されているが、目薬を眼にさすと化粧が落ちるといった問題があるため、化粧したまま目薬の効果を得る新規なアイマスクの開発が望まれていた。
【発明の開示】
【０００５】
本発明は、化粧品が付着するのを極力抑えることができるとともに目薬等を両目に間接的に投与できるアイマスクを提供することを目的とする。
上記目的を達成するために、本発明によれば、使用者の両眼を覆うマスク本体と、このマスク本体を保持するためのバンドとを有するアイマスクにおいて、前記マスク本体の内面の周囲に柔軟性を有する隆起部が形成され、少なくともこの隆起部に囲まれた内部に液体を吸収保持する吸収保持体が設けられていることを特徴とするアイマスクが提供される。
【０００６】
本発明では、マスク本体の内面の周囲に隆起部が形成されているので、アイマスクを装着すると、隆起部により囲まれた両目の周囲には空間が形成される。この空間により、化粧品や付けまつげがマスク本体に付着するのを防止することができる。
【０００７】
また本発明では、マスク本体の内面の周囲に隆起部が形成されるとともに、隆起部に囲まれた内部に液体を吸収保持する吸収保持体が設けられているので、目薬などの目の疲れを取るための液体を吸収保持体に含ませた状態でアイマスクを装着すると、隆起部で囲まれて形成された空間内に液体のミストが充満し、使用者が眼を開閉することで間接的に液体を両眼に投与することができる。これにより、化粧が取れることなく目薬等を投与することができる。
【発明の実施の形態】
【０００８】
以下、本発明の実施形態を図面に基づいて説明する。  
図１は本発明に係るアイマスクの実施形態を示す斜視図、図２は図１のII-II線に沿う断面図、図３は図１のIII-III線に沿う断面図である。
【０００９】
本実施形態に係るアイマスク１は、使用者の両眼を覆うマスク本体１１と、このマスク本体１１を顔面等に保持するためのバンド２１とを有する。
【００１０】
マスク本体１１は、外部からの光を遮断して安眠に導くための遮光体１２を有し、この遮光体１２は表面１２ａ（アイマスクとして装着した場合の表面）に化粧模様が施されるとともに周囲に布材１３が縫製により取り付けられている。また、遮光体１２の裏面１２ｂ側には、液体を透過させない、たとえばポリエチレンシートからなる液体遮断シート１４が縫製等により取り付けられている。この液体遮断シート１４は目薬等の液体を遮断する効果を有すれば他の材料により構成しても良い。液体遮断シート１４により、後述する吸収保持体１５に目薬などの液体を塗布しても、これがアイマスク本体１１の遮光体１２にまで至ることが防止できる。
【００１１】
図１に示すように、液体遮断シート１４の両側には、後述する吸収保持体１５の液体遮断シート１６の舌片１６ａ，１６ａが挿入可能なスリット１４ａ，１４ａが形成されている。
【００１２】
マスク本体１１の内面（アイマスクとして装着した場合の顔面側）の周囲には、全周にわたりスポンジなどの柔軟性を有するプラスチック発泡体からなる隆起部１７が接着剤などにより固定されている。この隆起部１７は、アイマスク１として装着した場合に、使用者の両眼とマスク本体１１との間に付けまつげ等が接触しない程度の隙間が形成される高さを有し、たとえば５ｍｍ〜１５ｍｍである。また、この隆起部１７を、柔軟性を有する材料にて構成することで、顔面の形状が異なってもマスク本体１１の全周が顔面にフィットし、空間Ｓがほぼ密閉されたものとなる。
【００１３】
図１及び図３に示すように、マスク本体１１の隆起部１７で囲まれた内部には、吸収保持体１５が着脱可能に取り付けられている。この吸収保持体１５は、片面（アイマスクとして装着した場合の顔面側）に液体を吸収保持するガーゼ１８を有し、他方の面にポリエチレンシートなどの液体を透過させない液体遮断シート１６を有し、これらの周囲に布材１９が縫製等により取り付けられてなる。そして、液体遮断シート１６の両端が布材１９から両側に突出し、舌片１６ａ，１６ａを構成している。この舌片１６ａ，１６ａを上述したマスク本体１１の液体遮断シート１４のスリット１４ａ，１４ａに出し入れすることで、吸収保持体１５がマスク本体１１に対して着脱可能となる。
【００１４】
また、ガーゼ１８には目薬などの液体が塗布されることもあるため、抗菌剤をコーティングするなどの抗菌処理が施されている。
【００１５】
なお、バンド２１は伸縮性を有するゴムなどにより構成され、長さを調節できる長さ調節部２２も設けられている。
【００１６】
以上のように構成された本実施形態に係るアイマスク１を装着すると、隆起部１７により、使用者の両眼とアイマスク１のマスク本体１１の内面との間に空間Ｓが形成されることになる。これにより、付けまつげがマスク本体１１に接触して外れてしまうことが防止される。
【００１７】
また、マスク本体１１と顔面との接触部分が隆起部１７のみとなることから、使用者のファンデーション、アイシャドーまたはマスカラなどの化粧品がマスク本体１１に付着して当該マスク本体１１を汚したり、化粧をし直したりすることがなくなる。
【００１８】
さらに、本実施形態に係る吸収保持体１５をマスク本体１１に装着し、ガーゼ１８に目薬（眼の乾き防止用ミストをも含む。）などの液体を塗布し、アイマスク１を装着すると、隆起部１７により囲まれた空間内に目薬などのミストが充満し、これにより使用者の両眼に間接的に目薬等を投与することができる。したがって、顔面が汚れたり化粧が落ちたりすることなく目薬等を投与することができる。
【００１９】
また、本実施形態に係る吸収保持体１５はマスク本体１１に対して着脱可能に構成されているので、汚れたりすると取り外して洗浄したり、あるいは新しい吸収保持体に交換したりすることも容易に行うことができる。
【００２０】
また、マスク本体１１に液体遮断シート１４が設けられ、吸収保持体１５にも液体遮断シート１６が設けられているので、吸収保持体１５に目薬などの液体を塗布しても、これがアイマスク本体１１の遮光体１２にまで至ることが防止できる。
【００２１】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【００２２】
【図１】本発明に係るアイマスクの実施形態を示す斜視図である。
【図２】図１のII-II線に沿う断面図である。
【図３】図１のIII-III線に沿う断面図である。
【符号の説明】
【００２３】
１…アイマスク
１１…マスク本体
１２…遮光体
１３…布材
１４…液体遮断シート
１４ａ…スリット
１５…吸収保持体
１６…液体遮断シート
１６ａ…舌片
１７…隆起部
１８…ガーゼ
１９…布材
２１…バンド
Ｓ…空間
【図１】
2006055358.tif 000003
【図２】
2006055358.tif 000004
【図３】
2006055358.tif 000005